(57)【特許請求の範囲】
【請求項１】
運転スイッチ、湿度センサー、室温センサー、湿度設定スイッチ、室温設定スイッチ等を有し、前記湿度センサー、室温センサーの検出値、前記湿度設定スイッチにより設定された湿度等から加湿器の運転並びに空気調和機の運転を制御するリモコンと、前記リモコンと連動運転を可能とした受光部等を有する加湿器と、前記リモコンと連動運転し送風フラップや湿度センサー等を有する空気調和機とにおいて、前記加湿器と前記空気調和機は前記リモコンを介して連動運転すると共に、前記加湿器と前記空気調和機が前記リモコンを介しての連動運転中には、所定時間間隔で前記リモコンの湿度センサーの検出値と前記空気調和機の湿度センサーの検出値を比較し、この両者の検出値に所定値以上の差がある場合、前記空気調和機の送風フラップを所定時間動作させることを特徴とした空気調和装置の制御方法。
【発明の詳細な説明】
【０００１】
【発明の属する技術分野】
この発明は、リモコンからの送信制御信号により室内の湿度制御を行う加湿器と室内の空調制御を行う空気調和装置の制御方法に関するものである。
【０００２】
【従来の技術】
一般に加湿器と空気調和機を同一屋内で使用する場合、双方が単独に運転を行うと、お互いのメリットを生かすことができず、加湿された湿度が場所によって偏りが生じてしまうなど、適正な加湿が行われない不具合が生じることがあった。
【０００３】
このため、加湿器と空気調和機を同一部屋で使用する場合には、空気調和機からの制御信号により加湿器の運転を制御する方法として、特開平７−１５１３７１号公報がある。この公報によれば、空気調和機本体からの送信制御信号を直接加湿器本体に送信することによって、空気調和機の運転モードに応じた加湿器の運転制御を行う制御装置について紹介されている。
【０００４】
【発明が解決しようとする課題】
しかしながら、このような制御方法でも、一般に加湿器は部屋の隅や壁際に置かれることが多く、部屋のなかで湿度の分布が均一にならないで特定の場所（空気調和機が設置される壁際など）の湿度が高く、人がいる場所の湿度が低くなってしまい、ユーザーの体感する湿度と空気調和機が検出する湿度に差が生じてしまう可能性があった。
【０００５】
このため、本発明では、上述した課題を解決するためにユーザーの身の回り付近に置かれ易いリモコンを利用した加湿器と空気調和機の連動制御の方法を提供するものである。
【０００６】
【課題を解決するための手段】
前記課題を解決するために、本発明は、運転スイッチ、湿度センサー、室温センサー、湿度設定スイッチ、室温設定スイッチ等を有し、前記湿度センサー、室温センサーの検出値、前記湿度設定スイッチにより設定された湿度等から加湿器の運転並びに空気調和機の運転を制御するリモコンと、前記リモコンと連動運転を可能とした受光部等を有する加湿器と、前記リモコンと連動運転し送風フラップや湿度センサー等を有する空気調和機とにおいて、前記加湿器と前記空気調和機は前記リモコンを介して連動運転すると共に、前記加湿器と前記空気調和機が前記リモコンを介しての連動運転中には、所定時間間隔で前記リモコンの湿度センサーの検出値と前記空気調和機の湿度センサーの検出値を比較し、この両者の検出値に所定値以上の差がある場合、前記空気調和機の送風フラップを所定時間動作させることである。
【０００７】
本発明によれば、ユーザーの身の回りに置かれるリモコンによって加湿器と空気調和機の両方の運転制御を同時に行える。
【０００９】
また、ユーザーの身の回りに置かれるリモコンによって加湿器と空気調和機の両方の運転制御を同時に行うと共に、空気調和機の送風フラップを定期的に動作させて室内の空調を均一化させることができる。
【００１０】
【発明の実施の形態】
以下、この発明の実施の形態を図面に基づき説明する。図１は、本発明の実施形態を示す概略構成図である。
【００１１】
１は本発明の加湿器と空気調和機の連動制御を司るリモコンであり、温度センサー２、湿度センサー３（以下、この２と３を合わせて体感センサーと記す）、及び温度・湿度等の各種設定スイッチ４から構成され、ユーザー１３の身の回りに置かれることにより、ユーザー１３が実際に感じる体感温度及び湿度を体感センサー（２及び３）で検出して、加湿器への制御信号１１及び空気調和機への制御信号１２を所定時間間隔で送信している。
【００１２】
５は加湿器であり、リモコン１からの制御信号１１を受光部６で受信して加湿制御を行っている。
【００１３】
８は空気調和機であり、リモコン１からの制御信号１２を受光部９で受信して空調制御を行っており、この空気調和機８にも湿度センサー７が設けられており、空気調和機８周囲の雰囲気湿度を検出している。１０は空気調和機８の吹出口に設けられた送風フラップを示している。
【００１４】
１４は、リモコン１によって連動制御される加湿器５と空気調和機８が備えられた部屋を示している。
【００１５】
ここで、この部屋１４に備えられた加湿器５と空気調和機８の連動動作について説明する。部屋１４を利用するユーザー１３は、リモコン１の設定スイッチ４を操作し、要求する室温及び湿度のセットを行う。リモコン１は、この設定温度を目指ように空気調和機８に送信信号１２を受光部９へ送信し、運転制御を行わせている。同時に、リモコン１は、設定された湿度を目指すように加湿器５に送信信号１１を受光部６へ送信し、加湿制御を行わせている。この時、空気調和機８は、この本体が具備する湿度センサー７で雰囲気湿度を検出しているが、空気調和機８は通常部屋１４の隅である壁に設置されることが多いため、空気調和機８本体周辺の雰囲気湿度とユーザー１３が感じる雰囲気湿度に差が生じる可能性がある。
【００１６】
次に、リモコン１による加湿器５と空気調和機８の連動制御について説明する。
上述したように、空気調和機８本体周辺の雰囲気湿度とユーザー１３が感じる雰囲気湿度には差が生じる可能性があるが、このユーザー１３の感じる雰囲気湿度はリモコン１の体感センサー（２及び３）が検出している。空気調和機８は、リモコン１の体感センサー（２及び３）が検出する湿度検出値Ｂをリモコン１から受信し、空気調和機８の湿度センサー７が検出する湿度検出値Ａと比較演算し、この両者の値の差（Ｂ−Ａ）の絶対値が１０％以上になった場合、送風フラップ１０を所定時間（約１分間）上下に動かす動作を行わせる。これにより、室内空気がかき混ぜられ室内の湿度の偏りが解消するとともに、室内湿度の均一化が図られる。この制御は所定時間（約１０分間）間隔で行われるため、ユーザー１３の体感湿度とリモコン１の設定湿度の適合を助ける作用を果たすことになる。
【００１７】
図２は、本発明に係るリモコン１及び空気調和機８の動作の流れを示すフロー図である。
【００１８】
ステップＳ１では、空気調和機８の運転モードが暖房運転か確認し、暖房運転でない場合は処理を終了する。ステップＳ２では、空気調和機８のフラップ動作モードが自動か確認し、自動でない場合は処理を終了する。ステップＳ３では、空気調和機８に湿度センサーがあるか確認し、湿度センサーがない場合は処理を終了する。ステップＳ４では、リモコン１の体感センサーを使用中か確認し、体感センサーを使用していない場合は処理を終了する。ステップＳ５では、空気調和機８のファンが回転中か確認し、ファンが回転中でない場合は処理を終了する。
ステップＳ６では、リモコン１が加湿器連動制御中か確認し、加湿器連動制御中でない場合は処理を終了する。ステップＳ７では、空気調和機８の送風フラップがスイング中か確認し、送風フラップがスイング中でない場合はステップＳ１２へ飛ぶ。ステップＳ８では、リモコン１が加湿器５との連動制御を開始したのか確認し、連動制御を開始していない場合はステップＳ１０へ飛ぶ。
【００１９】
ステップＳ９では、リモコン１の連動制御処理の前回判定終了後もしくは送風フラップのスイング終了後１０分経過したか確認し、１０分間経過していない場合は処理を終了する。
【００２０】
ステップＳ１０では、リモコン１の体感センサーで検出した湿度検出値Ｂと空気調和機８の湿度センサー７が検出した湿度検出値Ａの差（Ｂ−Ａ）の絶対値が１０％以上になっているか確認し、１０％未満の場合は処理を終了する。
【００２１】
ステップＳ１１では、空気調和機８の送風フラップをフラップ位置▲１▼〜▲４▼（最大の上下移動振幅を示す）の間でスイングを開始する。ステップＳ１２では、空気調和機８の送風フラップのスイングが１分間を経過したか確認し、１分未満ならば処理を終了し、１分間経過していれば送風フラップのスイングを停止する（ステップＳ１３）。
【００２２】
上述した制御により、加湿器と空気調和機を同時に使用する場合、ユーザーが体感する雰囲気湿度とリモコンで設定した設定湿度を一致させることが可能となる。
【００２３】
以上、本発明を上述した実施の形態に基づいて説明したが、本発明はこれに限定されるものではない。
【００２４】
上述した本実施例では、空気調和機本体の湿度センサーとリモコン本体の体感センサー（湿度センサー）の湿度検出値を比較しているが、これを加湿器本体の湿度センサーとリモコン本体の体感センサー（湿度センサー）の湿度検出値を比較する方法でも構わない。また、今回湿度検出値の差の絶対値を１０％以上の場合送風フラップをスイングさせているが、この値は１０％に限定されるものではない。
【００２５】
【発明の効果】
以上に説明したように、本発明によれば、ユーザーの身の回りに置かれるリモコンによって加湿器と空気調和機の両方の運転制御を同時に行えるため、加湿器の運転と空気調和機の運転を連動させた制御を可能とすることができる。
【００２６】
また、ユーザーの身の回りに置かれるリモコンによって加湿器と空気調和機の両方の運転制御を同時に行うと共に、空気調和機の送風フラップを定期的に動作させて室内の空調を均一化させることができるため、ユーザーが体感する雰囲気湿度とリモコンで設定した設定湿度を一致させることが可能となる。
【図面の簡単な説明】
【図１】本発明の実施形態を示す概略構成図である。
【図２】本発明に係るリモコン１及び空気調和機８の動作の流れを示すフロー図である。
【符号の説明】
１  リモコン
２  温度センサー（リモコン側、体感センサーを兼ねる）
３  湿度センサー（リモコン側、体感センサーを兼ねる）
４  設定スイッチ
５  加湿器本体
６  受光部（加湿器側）
７  湿度センサー（空気調和機側）
８  空気調和機本体
９  受光部（空気調和機側）
１０  送風フラップ
１１  制御信号（リモコン→加湿器）
１２  制御信号（リモコン→空気調和機）
１３  ユーザー
１４  部屋
【図１】
0004416299.tif 000002
【図２】
0004416299.tif 000003